(57)【要約】【課題】  演色性の向上した放射光の光束低下が抑制されるとともに、グローブの外観色のばらつきを抑制可能なランプ装置およびこのランプ装置を具備する照明器具を提供する。【解決手段】  ランプ装置１は、基板７の一面７ａ側に実装された発光ダイオード８を有する発光体２と、一端側３ａに口金２３を有し、他端側３ｂに発光体２が取り付けられた装置本体３と、発光体２を覆うように装置本体３の他端側３ｂに取り付けられた透光性のグローブ４と、白色粉末４１が付着された発光ダイオード８の放射光を波長変換する蛍光体粒子３６および蛍光体粒子３６を分散して含有するバインダー樹脂３７を有してなり、グローブ４の内面４ｄ側に形成された蛍光体膜５と、装置本体３に収納され、口金２３を介して給電されて動作し、発光ダイオード８を点灯する点灯装置６と、を具備している。【選択図】図３
2013186985.tif 000002
【特許請求の範囲】
【請求項１】
基板の一面側に実装された発光ダイオードを有する発光体と；
一端側に口金を有し、他端側に前記発光体が取り付けられた装置本体と；
前記発光体を覆うように前記装置本体の他端側に取り付けられた透光性のグローブと；
白色粉末が付着された前記発光ダイオードの放射光を波長変換する蛍光体粒子およびこの蛍光体粒子を分散して含有するバインダー樹脂を有してなり、前記グローブの内面側に形成された蛍光体膜と；
前記装置本体に収納され、前記口金を介して給電されて動作し、前記発光ダイオードを点灯する点灯装置と；
を具備していることを特徴とするランプ装置。
【請求項２】
前記蛍光体粒子は、その表面が前記白色粉末により５〜５０％被覆されていることを特徴とする請求項１記載のランプ装置。
【請求項３】
請求項１または２記載のランプ装置と；
このランプ装置の前記口金が接続されるソケットを有する器具本体と；
を具備していることを特徴とする照明器具。
【発明の詳細な説明】
【技術分野】
【０００１】
本実施形態は、発光ダイオードを光源とし、発光ダイオードからの光を波長変換する蛍光体を有するランプ装置およびこのランプ装置を具備する照明器具に関する。
【背景技術】
【０００２】
ＬＥＤ電球（ランプ装置）は、消費電力が小さく、長寿命であるので、近年、一般白熱電球や電球形蛍光ランプの代替品として急速に使用されている。このＬＥＤ電球としては、電球口金が設けられた装置本体にグローブが取り付けられ、このグローブ内にＬＥＤモジュール（発光体）が配置されるとともに、装置本体内に点灯装置が設けられたランプ構造が知られている。当該ＬＥＤモジュールは、基板に実装されたＬＥＤベアチップが透光性樹脂で封止され、透光性樹脂内に例えば黄色蛍光体が含有されている。ＬＥＤ電球は、ＬＥＤベアチップから放射された青色光と、黄色蛍光体により波長変換された黄色光とにより白色光を得ている。
【０００３】
また、黄色蛍光体をグローブの内表面に塗布し、ＬＥＤベアチップから離間させるランプ構造のＬＥＤ電球が知られている（例えば特許文献１参照。）。このＬＥＤ電球は、ＬＥＤモジュールの青色ＬＥＤ素子からの放射光と、黄色蛍光体で波長変換された黄色光とがグローブ側で混色されて、白色光がグローブの外部に放射される。白色光は、グローブの全体から放射されるので、全方位に広がり、グレアが低減される。
【０００４】
さらに、グローブから放射される放射光の演色性を向上させるＬＥＤ電球が提案されている（例えば特許文献２参照。）。このＬＥＤ電球は、蛍光体を含有した蛍光体膜がグローブの内面に形成されている。そして、グローブから放射される色光は、ＬＥＤベアチップの発光波長と蛍光体との組み合わせにより決定される。例えば、紫外乃至紫光を発光するＬＥＤベアチップと組み合わせて白色光を得るには、蛍光体膜は、少なくとも青色蛍光体、緑色蛍光体または黄色蛍光体、および赤色蛍光体を含んで構成されている。
【先行技術文献】
【特許文献】
【０００５】
【特許文献１】特開２００９−１７０１１４号公報（第５頁、第１図）
【特許文献２】特許第４８６２０９８号公報（第５頁、第１図）
【発明の概要】
【発明が解決しようとする課題】
【０００６】
緑色蛍光体、黄色蛍光体および赤色蛍光体のそれぞれの発光スペクトルは、ブロードで半値幅が広く、黄色蛍光体および赤色蛍光体のそれぞれの発光スペクトルの一部が含まれている。このため、緑色蛍光体、黄色蛍光体および赤色蛍光体により波長変換された光は、その発光スペクトルの一部の波長が黄色蛍光体または赤色蛍光体によってある程度吸収される。この結果、グローブから放射される光束が低下する１つの要因となり、また、放射光の色度調整の弊害となっている。
【０００７】
また、ＬＥＤ電球の消灯時のグローブの色は、蛍光体膜に含有された蛍光体に応じたものとなり、商品の発光色毎にばらつくという欠点を有する。
【０００８】
本実施形態は、演色性の向上した放射光の光束低下が抑制されるとともに、グローブの外観色のばらつきを抑制可能なランプ装置およびこのランプ装置を具備する照明器具を提供することを目的とする。
【課題を解決するための手段】
【０００９】
本実施形態のランプ装置は、発光体、装置本体、グローブ、蛍光体膜および点灯装置を有して構成される。
【００１０】
発光体は、基板の一面側に実装された発光ダイオードを有して形成される。装置本体は、一端側に口金を有し、他端側に発光体が取り付けられている。
【００１１】
グローブは、透光性を有してなり、発光体を覆うように装置本体の他端側に取り付けられている。
【００１２】
蛍光体膜は、グローブの内面側に形成されている。そして、蛍光体膜は、白色粉末が付着された蛍光体粒子および蛍光体粒子を分散して含有するバインダー樹脂を有して形成されている。蛍光体粒子は、発光ダイオードの放射光を波長変換する。
【００１３】
そして、点灯装置は、装置本体に収納され、口金を介して給電されて動作し、発光ダイオードを点灯するように形成されている。
【発明の効果】
【００１４】
本発明の実施形態によれば、蛍光体粒子によって波長変換された光は、蛍光体粒子に付着された白色粉末に入射すると反射されるので、波長変換された光が蛍光体粒子に入射して吸収される割合が低下し、これにより、グローブから放射される放射光の光束低下を抑制でき、放射光の色度の変化を抑制できることが期待できるとともに、蛍光体粒子の種類に係らず、白色粉末によって各蛍光体粒子のボディカラーが軽減されることにより、グローブの外観色のばらつきを抑制できることが期待できる。
【図面の簡単な説明】
【００１５】
【図１】本発明の第１の実施形態を示すランプ装置の概略側面図である。
【図２】同じく、ランプ装置の概略下面図である。
【図３】同じく、図２のＡ−Ａ矢視方向におけるランプ装置の概略側断面図である。
【図４】同じく、ランプ装置のグローブを取り外した状態の概略正面図である。
【図５】同じく、グローブの一部概略断面図である。
【図６】同じく、蛍光体粒子の発光スペクトル図である。
【図７】同じく、他の蛍光体粒子の発光スペクトル図である。
【図８】同じく、さらに他の蛍光体粒子の発光スペクトル図である。
【図９】本発明の第２の実施形態を示す照明器具の一部切り欠き概略側面図である。
【図１０】同じく、他の照明器具の一部切り欠き概略側面図である。
【発明を実施するための形態】
【００１６】
以下、本発明の一実施の形態について、図面を参照して説明する。まず、本発明の第１の実施形態について説明する。
【実施例１】
【００１７】
本実施形態のランプ装置１は、電球用ソケットに着脱されるＬＥＤ電球であり、図１ないし図５に示すように構成される。そして、図３に示すように、ランプ装置１は、発光体２、装置本体３、グローブ４、蛍光体膜５および点灯装置６を有して構成されている。
【００１８】
発光体２は、基板７、発光ダイオードとしての複数個のＬＥＤベアチップ８および封止樹脂９を有して形成されている。基板７は、例えばアルミニウム（Ａｌ）の金属板からなり、外形が例えば正四角形に形成されている。ＬＥＤベアチップ８は、例えば紫外乃至紫色を発光するように形成され、ＣＯＢ（Chip  On  board）方式によって基板７に実装されている。
【００１９】
すなわち、発光体２は、複数個のＬＥＤベアチップ８が基板７の一面７ａ側に図示しない高熱伝導性を有する絶縁層を介してマトリックス状に実装され、ＬＥＤベアチップ８を包囲して例えばシリコーン樹脂からなる枠部１０が設けられている。そして、枠部１０内にＬＥＤベアチップ８を覆って封止する例えばシリコーン樹脂などの封止樹脂９が充填されている。封止樹脂９は、透光性を有し、ＬＥＤベアチップ８から放射された光を透過する。封止樹脂９の透過率は、例えば９０％となっている。
【００２０】
基板７の一面７ａ側には、雌コネクタ１１が実装されている。この雌コネクタ１１は、図示しない配線パターンによりＬＥＤベアチップ８に電気接続されている。複数個のＬＥＤベアチップ８は、例えば列毎に、直列接続されている。発光体２は、封止樹脂９の表面が発光面となり、この発光面から紫外乃至紫光を放射する。
【００２１】
なお、基板７は、ガラスエポキシ材や紙フェノール材などの樹脂材で形成されてもよく、そのものが絶縁性を有するセラミック板などで形成してもよい。
【００２２】
装置本体３は、高熱伝導率を有する金属材料例えばアルミニウム（Ａｌ）からなり、一端側３ａが他端側３ｂよりも小さい断面略Ｔ形の柱状体に形成されている。そして、装置本体３は、その上面３ｃに発光体２の取付部１２を形成している。すなわち、取付部１２は、上面３ｃの周縁よりもグローブ４の取付け分を除く内側に環状壁１３が突出形成されていて、環状壁１３の内側の底面１２ａが発光体２の取付け面となっている。
【００２３】
また、装置本体３は、一端側３ａから他端側３ｂに略円柱状の挿入孔１４が形成されている。この挿入孔１４の底面１４ａには、取付部１２の底面１２ａに貫通する貫通孔１５が形成されている。そして、取付部１２の底面１２ａには、貫通孔１５に連通する長方形状の凹部１６が形成されている。
【００２４】
また、装置本体３は、その外面３ｄに一端側３ａから他端側３ｂの方向に沿った複数個の放熱フィン１７が突出形成されている。この放熱フィン１７は、図１または図２に示すように、装置本体３の周方向に略等間隔で放射状に形成されているとともに、一端側３ａから他端側３ｂへと径方向の突出量が大きくなるように傾斜して形成されている。ここで、放熱フィン１７は、その稜線１７ａが直線状に傾斜して形成されているが、その稜線１７ａが曲線状に傾斜するように形成されもよい。そして、装置本体３は、取付部１２の環状壁１３の外側であって、放熱フィン１７，１７の間が切り欠きされている。装置本体３は、例えばアルミダイキャストにより、上述のように成型されたものである。なお、装置本体３は、熱伝導性の良好な合成樹脂またはセラミックなどで形成されてもよい。
【００２５】
図３において、取付部１２の底面１２ａには、絶縁紙１８を介して発光体２が取り付けられている。絶縁紙１８は、例えば電気絶縁性のシリコーン樹脂からなり、図４に示すように、基板７よりも幾分大きい正四角形に形成されている。基板７および絶縁紙１８のそれぞれの４隅側には、ねじ１９が挿通される図示しない孔が設けられている。
【００２６】
４個のねじ１９が当該孔を挿通して、取付部１２の底面１２ａに設けられた図示しないねじ孔に螺着されている。これにより、発光体２は、取付部１２の底面１２ａの中央部に取り付けられている。こうして、装置本体３は、その他端側３ｂに発光体２が取り付けられている。
【００２７】
図３において、装置本体３の挿入孔１４には、有底の略円筒状に形成された取付け体２０が挿入されて取り付けられている。取付け体２０は、例えばポリブチレンテレフタレート（ＰＢＴ）樹脂により挿入孔１４の壁面に密接する大きさに形成され、電気絶縁性を有する。そして、取付け体２０の他端側２０ｂの底面２０ｃには、図示しない取付け孔が設けられており、この取付け孔に挿入された図示しないねじが挿入孔１４の底面１４ａに形成された図示しないねじ孔に螺着されている。これにより、取付け体２０は、装置本体３に一体に取り付けられている。また、取付け体２０の底面２０ｃには、装置本体３の貫通孔１５に連通する連通孔２１が設けられている。
【００２８】
また、取付け体２０は、その一端側２０ａの外面２０ｄに凸条２２が螺旋状に形成されていて、この凸条２２に口金２３が螺合されている。口金２３は、取付け体２０の一端側２０ａの外面２０ｄにかしめられて固定されている。
【００２９】
口金２３は、例えばＥ２６形の一般照明電球用のソケットに接続可能なものであり、凸条２２に螺合されてかしめられて固定される口金シェル部２４、この口金シェル部２４の他端側に設けられる絶縁部２５およびこの絶縁部２５の頂部に設けられる口金アイレット部２６を有して構成されている。口金２３と装置本体３は、取付け体２０の外面２０ｄに形成されている環状座２７により電気絶縁されている。こうして、装置本体３は、その一端側３ａに取付け体２０を介して口金２３を有している。
【００３０】
また、取付け体２０は、その内壁２０ｅに、他端側２０ｂの底面２０ｃから一端側２０ａの端面に亘って直線状に凹部２８が正対するように一対形成され、さらに凹部２８に隣接するガイド凸部２９が正対するように一対形成されている。凹部２８は、点灯装置６の基板３０の幅方向の両端部が圧入される幅に形成されているとともに、薄肉の取付け体２０に対して浅く形成されている。ガイド凸部２９は、基板３０を長手方向に沿わせて案内するものである。
【００３１】
点灯装置６は、発光体２のＬＥＤベアチップ８を点灯するものであり、取付け体２０の内部に収納されている。すなわち、装置本体３の内側に収納されている。そして、点灯装置６は、基板３０およびこの基板３０に実装された電子部品３１などの電気部品を有して形成されている。基板３０は、ガラスエポキシ材などの合成樹脂板やアルミニウム（Ａｌ）などの金属板からなり、長方形に形成されている。金属板の場合、絶縁層が形成されて、電気部品が実装されている。そして、基板３０は、取付け体２０の一対の凹部２８，２８に圧入されるようにして挿入されて、取付け体２０の内側に取り付けられている。
【００３２】
点灯装置６は、その入力側が口金２３の口金シェル部２４および口金アイレット部２６に図示しないリード線で接続され、その出力側が発光体２の基板７に給電線３２により接続されている。発光体２の基板７には、雌コネクタ１１が設けられ、点灯装置６の基板３０には、雌コネクタ３３が設けられている。給電線３２の両端には、それぞれ雄コネクタ３４，３５が設けられている。
【００３３】
給電線３２の雄コネクタ３５は、点灯装置６の雌コネクタ３３に装着されている。そして、雄コネクタ３４は、取付け体２０の連通孔２１、装置本体３の取付部１２の貫通孔１５および凹部１６を挿通して、発光体２の雌コネクタ１１に装着されている。雄コネクタ３４は、雌コネクタ１１に挿入して接続される部品が用いられている。雄コネクタ３５は、点灯装置６が取付け体２０に取り付けられる前に雌コネクタ３３に装着される。そして、給電線３２および雄コネクタ３４は、発光体２を取付部１２に取り付ける前に、連通孔２１、貫通孔１５および凹部１６を挿通させている。こうして、点灯装置６は、口金２３と発光体２のＬＥＤベアチップ８に接続されている。そして、口金２３を介して給電されて動作し、ＬＥＤベアチップ８に所定の定電流を供給してＬＥＤベアチップ８を点灯（発光）するように形成されている。
【００３４】
グローブ４は、透光性を有する樹脂材料からなっている。ここでは、例えばポリカーボネート（ＰＣ）樹脂により、一端側４ａが開口され他端側４ｂが閉塞されるとともに発光体２を覆うように略球面状に成型されている。グローブ４の厚さは、１〜２ｍｍとなっている。また、グローブ４の透過率は、８０％以上例えば８５％となっている。
【００３５】
そして、グローブ４は、発光体２を覆うように、その開口の周縁の端面４ｃが装置本体３の上面３ｃに位置し、一端側４ａの内面４ｄが取付部１２の環状壁１３に密接または密着して取り付けられている。ここで、グローブ４の端面４ｃおよび内面４ｄがそれぞれ装置本体３の上面３ｃおよび環状壁１３に接着材で固着されて取り付けられてもよく、グローブ４の内面４ｄおよび環状壁１３にそれぞれネジ部および被ネジ部を形成して、ネジ部および被ネジ部を螺合させることにより取り付けるようにしてもよく、グローブ４の一端側４ａおよび環状壁１３にそれぞれ係止爪および係止溝を形成して、係止爪を係止溝に係止させることにより取り付けるようにしてもよい。
【００３６】
装置本体３は、その環状壁１３の外側であって、放熱フィン１７，１７の間が切り欠きの構造に形成されているので、グローブ４は、図２に示すように、その開口の周縁の端面４ｃが放熱フィン１７，１７の間に露出するように装置本体３の他端側３ｂに取り付けられている。
【００３７】
そして、グローブ４は、図３に示すように、その内面４ｄ側に蛍光体膜５が形成されている。蛍光体膜５は、グローブ４の装置本体３の環状壁１３に密接または密着する部分を除き、グローブ４の内面４ｄに均一に形成されている。蛍光体膜５の膜厚は、２００〜１０００μｍの適宜の値に設定されている。
【００３８】
蛍光体膜５は、蛍光体粒子３６およびこの蛍光体粒子３６を分散して含有するバインダー樹脂３７を有して形成されている。本実施形態では、蛍光体粒子３６は、図５に示すように、青色蛍光体３８、緑色蛍光体３９および赤色蛍光体４０の３種類からなり、これらの粒子がバインダー樹脂３７に分散されている。以下、蛍光体粒子３６は、青色蛍光体３８、緑色蛍光体３９および赤色蛍光体４０などを総称する。バインダー樹脂３７は、透光性を有するシリコーン樹脂、エポキシ樹脂やウレタン樹脂などからなり、ここでは、９０％以上の光透過率を有するシリコーン樹脂が用いられている。
【００３９】
青色蛍光体３８としては、発光のピーク波長が４３０〜４６０ｎｍの範囲の蛍光体が用いられ、例えばユーロピウム（Ｅｕ）付活アルカリ土類クロロ燐酸塩蛍光体が用いられている。また、緑色蛍光体３９としては、発光のピーク波長が４９０〜５８０ｎｍの範囲の蛍光体が用いられ、例えばユーロピウム（Ｅｕ）及びマンガン（Ｍｎ）付活アルカリ土類アルミン酸塩蛍光体が用いられている。また、赤色蛍光体４０としては、発光のピーク波長が５８０〜６３０ｎｍの範囲の蛍光体が用いられ、例えばユーロピウム（Ｅｕ）付活酸硫化ランタン蛍光体が用いられている。
【００４０】
そして、蛍光体粒子３６は、略球形や楕円体形などに形成され、その最大粒径が１０〜３０μｍのものが用いられている。本実施形態では、蛍光体粒子３６は、その最大粒径の平均値が２０μｍ程度となるようにしている。
【００４１】
そして、蛍光体粒子３６は、その表面３６ａに白色粉末４１を付着している。白色粉末４１は、シリカ（ＳｉＯ2）、酸化チタン（ＴｉＯ2）やアルミナ（Ａｌ2Ｏ3）などからなり、その最大粒径が蛍光体粒子３６の最大粒径の平均値の５／１００〜５／２０００となっている。
【００４２】
白色粉末４１は、蛍光体粒子３６の表面３６ａを５〜５０％被覆するように設けられている。この被覆率５〜５０％の設定は、以下による。すなわち、蛍光体粒子３６は、ＬＥＤベアチップ８から放射された光が入射されると、当該光を波長変換するものである。青色蛍光体３８、緑色蛍光体３９および赤色蛍光体４０は、ＬＥＤベアチップ８から放射された紫外乃至紫光が入射されると、それぞれ図６の発光スペクトルで示す青色光、緑色光および赤色光を放射する。ここで、緑色光の波長域は、青色光および赤色光のそれぞれの波長域の一部と重なりあっている。
【００４３】
また、蛍光体粒子３６には、他の蛍光体粒子３６により波長変換された光が入射する。ここで、例えば青色蛍光体３８に緑色光が入射すると、緑色光の上記重なり合った波長域の光が青色蛍光体３８に所定の吸収率で吸収される。逆に、緑色蛍光体３９に青色光が入射すると、青色光の上記重なり合った波長域の光が緑色蛍光体３９に吸収される。また、緑色蛍光体３９に赤色光が入射すると、赤色光の上記重なり合った波長域の光が緑色蛍光体３９にある程度吸収される。逆に、赤色蛍光体４０に緑色光が入射すると、緑色光の上記重なり合った波長域の光が赤色蛍光体４０に吸収される。
【００４４】
白色粉末４１は、蛍光体粒子３６に入射するＬＥＤベアチップ８から放射された光および他の蛍光体粒子３６により波長変換された光を反射させる。ここで、上記被覆率が５％を下回ると、蛍光体粒子３６により波長変換された光は、他の蛍光体粒子３６に入射する割合が多くなり、その分、一部の波長域が所定の吸収率で吸収される割合が多くなる。また、上記被覆率が５０％を上回ると、蛍光体粒子３６に入射するＬＥＤベアチップ８から放射された光の割合が低下し、蛍光体粒子３６から波長変換される光の光量が低下する。したがって、蛍光体粒子３６の表面３６ａを被覆する白色粉末４１の割合を５〜５０％とするものである。
【００４５】
白色粉末４１を蛍光体粒子３６に付着させる方法は、特に限定されるものではなく、湿式や乾式のいずれであってもよい。例えば、分散液としての水に蛍光体粒子３６を入れ、攪拌させながら上記被覆率の範囲となる所定量の白色粉末４１を水中に添加して十分に分散させる。そして、分散後、濾過し、白色粉末４１が付着した蛍光体粒子３６中の水分を乾燥機にて乾燥させる。この乾燥後、蛍光体粒子３６を例えば乳鉢で粉砕し、所定の最大粒径（例えば２０μｍ）が得られるメッシュを通過させる。これにより、白色粉末４１が付着した蛍光体粒子３６が得られる。
【００４６】
そして、蛍光体膜５は、グローブ４の内面４ｄに、例えば以下のようにして形成される。まず、蛍光体粒子３６をシリコーン樹脂からなるバインダー樹脂３７に混合して、蛍光体スラリーを調整する。蛍光体粒子３６とバインダー樹脂３７との混合比は、蛍光体粒子３６の種類や最大粒子径により適宜選択する。そして、蛍光体スラリーをグローブ４の内面４ｄに均一に塗布する。この塗布は、例えばスプレー法、ディップ法あるいはグローブ４を回転させる方法などにより行える。そして、蛍光体スラリーの塗布膜をドライヤーやオーブン等の加熱装置を用いて加熱乾燥させる。これにより、蛍光体膜５がグローブ４の内面４ｄに形成される。
【００４７】
次に、第１の実施形態の作用について述べる。
【００４８】
ランプ装置１は、照明器具の電球用ソケットに装着される。そして、口金２３に外部電源が給電すると、点灯装置６が動作し、点灯装置６から発光体２の複数個のＬＥＤベアチップ８に所定の定電流（電力）が供給される。複数個のＬＥＤベアチップ８は、点灯（発光）し、紫外乃至紫光を放射する。この放射光は、透光性のシリコーン樹脂からなる封止樹脂９を透過する。すなわち、発光体２から紫外乃至紫光が放射される。
【００４９】
発光体２から放射された紫外乃至紫光は、グローブ４の内面４に形成された蛍光体膜５内に入射し、バインダー樹脂３７内に分散されている蛍光体粒子３６に入射する。すなわち、蛍光体膜５内に入射した紫外乃至紫光は、青色蛍光体３８、緑色蛍光体３９および赤色蛍光体４０に入射する。
【００５０】
青色蛍光体３８、緑色蛍光体３９および赤色蛍光体４０は、それぞれ紫外乃至紫光を波長変換して、青色光、緑色光および赤色光を放射する。これらの青色光、緑色光および赤色光と、発光体２から放射された紫外乃至紫光の一部は、混合（混色）しながら、バインダー樹脂３７からグローブ４内に入射し、グローブ４内を透過してグローブ４の外面４ｅから外部空間に放射される。これにより、グローブ４から白色光が放射される。白色光は、青色光、緑色光および赤色光が混色されているので、演色性が向上している。
【００５１】
そして、蛍光体粒子３６に付着している白色粉末４１は、発光体２から放射された紫外乃至紫光を反射するとともに、青色蛍光体３８、緑色蛍光体３９および赤色蛍光体４０からそれぞれ放射された青色光、緑色光および赤色光を反射する。ここで、白色粉末４１の被覆率は、５〜５０％であるので、蛍光体粒子３６には、発光体２から放射された紫外乃至紫光がほぼ入射される。これにより、各青色蛍光体３８、緑色蛍光体３９および赤色蛍光体４０からそれぞれ青色光、緑色光および赤色光を放射させることができる。
【００５２】
そして、青色蛍光体３８、緑色蛍光体３９および赤色蛍光体４０からそれぞれ放射された青色光、緑色光および赤色光は、バインダー樹脂３７を透過してグローブ４内に入射する前に、再び青色蛍光体３８、緑色蛍光体３９および赤色蛍光体４０に入射することがある。このとき、当該青色光、緑色光および赤色光は、白色粉末４１に入射すると、バインダー３７内に反射される。この白色粉末４１に入射する確率は、蛍光体粒子３６の表面３６ａにおける白色粉末４１の被覆率に相当する。
【００５３】
青色光、緑色光および赤色光は、蛍光体粒子３６に入射すると、蛍光体粒子３６の発光スペクトルと重なり合う波長域がある程度（所定の吸収率）蛍光体粒子３６に吸収される。この吸収分、青色光、緑色光および赤色光の光強度（光量）が減少する。そして、蛍光体粒子３６に入射する回数が多くなるほど、当該光強度の減少が大きくなる。これにより、グローブ４から放射される白色光の光量が低下する。また、青色光、緑色光および赤色光の減少割合によっては、白色光の色度が変化する。
【００５４】
白色粉末４１は、蛍光体粒子３６に、発光体２から放射された紫外乃至紫光を入射させるとともに、蛍光体粒子３６により波長変換された光が入射することを抑制するように設けられている。すなわち、白色粉末４１は、蛍光体粒子３６により波長変換された光が蛍光体粒子３６に再び入射する回数を抑制させて、波長変換された光の光強度（光量）の減少を少なくさせている。そして、グローブ４の外面４ｅは、白色粉末４１により、概して白色に見える。
【００５５】
本実施形態のランプ装置１によれば、蛍光体粒子３６によって波長変換された青色光、緑色光および赤色光は、蛍光体粒子３６に付着された白色粉末４１に入射するとバインダー樹脂３７側に反射されるので、蛍光体粒子３６に入射して吸収される割合が低下し、これにより、グローブ４から放射される白色光の光束低下を抑制することができ、白色光の色度の変化を抑制することができるという効果を有する。また、グローブ４の外観色は、蛍光体膜５の蛍光体粒子３６の種類に係らず、蛍光体粒子３６に付着している白色粉末４１により各蛍光体粒子３６のボディカラーが軽減されて白色化されるので、商品毎のグローブ４の外観色のばらつきを抑制することができるという効果を有する。
【００５６】
そして、白色粉末４１は、蛍光体粒子３６の表面３６ａに５〜５０％の被覆率で被覆されているので、蛍光体粒子３６に発光体２から放射された紫外乃至紫光を入射させるとともに、蛍光体粒子３６により波長変換された光が再び蛍光体粒子３６に入射することを効果的に抑制できるという効果を有する。
【００５７】
なお、グローブ４は、その外面４ｅが球面状でなくてもよく、他端側４ｂが閉塞され一端側４ａが開口されていればその形状が限定されるものでなく、例えば椀状、楕円体状や正方形の箱状であってもよい。また、グローブ４は、透光性のガラスで形成されてもよい。
【００５８】
そして、発光体２は、発光ダイオードとしてＬＥＤベアチップ８を用いたが、これに限らず、ＬＥＤパッケージを用いて形成してもよい。また、装置本体３の一端側３ａに取り付けられる口金は、Ｅ形口金に限らず、ＧＸ５３形、ＧＸ５．３形やＧ２３等であってもよい。
【００５９】
また、蛍光体膜５は、そのバインダー樹脂３７内に蛍光体粒子３６から脱落した白色粉末４１が包含されてもよい。この脱落した白色粉末４１は、光拡散させる拡散粒子として作用する。
【実施例２】
【００６０】
本実施形態は、図３に示すランプ装置１において、発光体２のＬＥＤベアチップ８が青色光を放射するものが用いられる。そして、蛍光体膜５に含有される蛍光体粒子３６は、緑色蛍光体３９、赤色蛍光体４０および黄色蛍光体の３種類からなる。緑色蛍光体３９は、例えばユーロピウム（Ｅｕ）付活オルトシリケートアルカリ土類蛍光体またはユーロピウム（Ｅｕ）付活βサイアロン蛍光体が用いられている。また、赤色蛍光体４０は、例えばサマリウム（Ｓｍ）付活αサイアロン蛍光体またはユーロピウム（Ｅｕ）付活カズン蛍光体が用いられている。そして、黄色蛍光体は、例えばセリウム（Ｃｅ）付活ＹＡＧ蛍光体、セリウム（Ｃｅ）付活ＴＡＧ蛍光体、セリウム（Ｃｅ）付活オルトシリケートアルカリ土類蛍光体、ユーロピウム（Ｅｕ）付活オルトシリケートアルカリ土類蛍光体またはユーロピウム（Ｅｕ）付活αサイアロン蛍光体が用いられている。
【００６１】
緑色蛍光体３９、赤色蛍光体４０および黄色蛍光体は、入射された青色光をそれぞれ緑色光、赤色光および黄色光に波長変換する。図７に、その発光スペクトルの一例を示す。グローブ４の外面４ａから発光体２のＬＥＤベアチップ８から放射された青色光と、緑色蛍光体３９、赤色蛍光体４０および黄色蛍光体からそれぞれ放射された緑色光、赤色光および黄色光とが放射され、これらの光が混合（混色）した白色光が得られる。白色光は、緑色光および赤色光を含むので、演色性が向上したものとなっている。
【００６２】
そして、緑色蛍光体３９、赤色蛍光体４０および黄色蛍光体にそれぞれ付着している白色粉末４１により、白色粉末４１に入射する光が反射される。これにより、蛍光体粒子３６により波長変換された光が再び蛍光体粒子３６に入射することが抑制される。この結果、グローブ４から放射される白色光の光束低下を抑制することができ、白色光の色度の変化を抑制することができる。
【実施例３】
【００６３】
本実施形態は、図３に示すランプ装置１において、発光体２のＬＥＤベアチップ８が青色光を放射するものが用いられる。そして、蛍光体膜５に含有される蛍光体粒子３６は、黄色蛍光体の１種類からなる。黄色蛍光体は、上述の蛍光体が用いられている。
【００６４】
黄色蛍光体は、ＬＥＤベアチップ８から放射された青色光が入射すると、青色光を黄色光に波長変換する。図８に、その発光スペクトルの一例を示す。そして、グローブ４の外面４ｅからＬＥＤベアチップ８から放射された青色光および黄色蛍光体から放射された黄色光が放射され、これらの光が混合（混色）した白色光が得られる。白色光は、赤色光の包含量が極めて少なく、演色性が劣る。
【００６５】
そして、黄色蛍光体に付着している白色粉末４１により、白色粉末４１に入射する光が反射される。これにより、黄色蛍光体により波長変換された光が再び蛍光体粒子３６に入射することが抑制される。この結果、グローブ４から放射される白色光の光束低下を抑制することができ、白色光の色度の変化を抑制することができる。
【００６６】
次に、本発明の第２の実施形態について説明する。
【００６７】
図９は、本発明の第２の実施形態を示す照明器具の一部切り欠き概略正面図、図１０は、同じく、他の照明器具の一部切り欠き概略正面図である。なお、図１と同一部分には、同一符号を付して説明は省略する。
【００６８】
図９に示す照明器具５１は、図１に示すランプ装置１を使用するダウンライトであり、天井５２に埋設されている。そして、外形が有底の略円筒状に形成された器具本体５３にソケットとしての電球用ソケット５４が配設されている。器具本体５３は、器具本体５３と一体的に設けられているカバー体５５と板バネ５６，５６とにより、天井５２に挟持されて、天井５２に固定されている。そして、電球用ソケット５４に、ランプ装置１が取り付けられている。
【００６９】
電球用ソケット５４が通電されると、ランプ装置１の点灯装置６（図示しない。）が動作し、発光体２（図示しない。）の各ＬＥＤチップ８（図示しない。）に所定の定電流が供給される。これにより、複数個のＬＥＤチップ８が点灯し、グローブ４から白色光が放射される。そして、グローブ４の外面４ｅから放射された白色光は、カバー体５５の開口５７から床面側に出射される。
【００７０】
図１０に示す照明器具５８は、天井５２に吊り下げられる吊下げ形照明器具であり、外形が有底の円筒状である器具本体５９にランプ装置１の口金２３が取り付けられるソケットとしての電球用ソケット６０が配設されている。器具本体５９は、先端に引掛シーリングキャップ６１を有する電源コード６２を接続している。
【００７１】
そして、引掛シーリングキャップ６１は、天井５２に配設されている引掛シーリングボディ６３に取り付けられている。これにより、電源コード６２等を介して電球用ソケット６０に外部電源が供給される。引掛シーリングキャップ６１および引掛シーリングボディ６３は、シーリングカバー６４により覆われている。そして、ランプ装置１は、電球用ソケット６０に装着されている。
【００７２】
ランプ装置１は、図示しない壁スイッチのオンオフ操作に応じて点灯または消灯される。そして、グローブ４の外面４ｅから放射された白色光が床面側を照明する。
【００７３】
本実施形態の照明器具５１，５８によれば、演色性が向上され、光束低下が抑制されるランプ装置１を具備するので、太陽光に近い状態で、グローブ４から放射された白色光で床面側を明るく照明することができるという効果を有する。
【００７４】
なお、本実施形態の照明器具は、埋込形や吊り下げ形に限らず、直付け形の照明器具であってもよい。
【符号の説明】
【００７５】
１…ランプ装置としてのＬＥＤ電球、  ２…発光体、  ３…装置本体、  ４…グローブ、  ５…蛍光体膜、  ６…点灯装置、  ７…基板、  ８…発光ダイオードとしてのＬＥＤベアチップ、  ２３…口金、  ４１…白色粉末、  ５１，５８…照明器具、  ５３，５９…器具本体、  ５４，６０…ソケットとしての電球用ソケット
【図１】
2013186985.tif 000003
【図２】
2013186985.tif 000004
【図３】
2013186985.tif 000005
【図４】
2013186985.tif 000006
【図５】
2013186985.tif 000007
【図６】
2013186985.tif 000008
【図７】
2013186985.tif 000009
【図８】
2013186985.tif 000010
【図９】
2013186985.tif 000011
【図１０】
2013186985.tif 000012